(57)【要約】【課題】コンビニエンスストアー等の店頭で販売する既存の、プリン、ヨーグルト、デザート、アイスを、買い求めたお客様がより簡単に美味しく食べるための手段を提供する。【解決手段】  プリン、ヨーグルト、デザート、アイスにトッピングする、カラメルソースやブルーベリーソースやメープルシロップ、ストロベリーシロップ、チョコレートシロップ、蜂蜜シロップ、黒蜜シロップ、レモンシロップ、メロンシロップ等を小分けしバーコードを印刷した袋に詰めて、店頭に専用の販売ケースを用意して一個から販売する。【選択図】図１
2014091577.tif 000002
【特許請求の範囲】
【請求項１】
プリンやヨーグルトにまたデザートやアイスにトッピングする、カラメルソースやブルーベリーソースやメープルシロップ、ストロベリーシロップ、チョコレートシロップ、蜂蜜シロップ、黒蜜シロップ、レモンシロップ、メロンシロップ等を使用する一回分に小分けし販売するため、小分け用の袋にバーコードを印刷し袋詰めして店頭で販売する。
【請求項２】
袋詰めされたカラメルソースやブルーベリーソースや各種シロップを陳列販売するための専用ケースを用意する。
【請求項３】
店頭の販売データーを、各製造業者に提供して生産計画を立てるまた各地の配送センター毎に担当する各店の注文を集計して、各地の配送センターが必要な量を一括して納品してもらい配送センターで店毎に小分けして各店に納品する。
【発明の詳細な説明】
【技術分野】
【０００１】  本発明は、プリンやヨーグルトまたデザートやアイスにトッピングするソースやシロップに関する。
【背景技術】
【０００２】  従来からの店頭で販売するプリンは、容器の底にカラメルソースを充填、その後プリン生地を充填し製品としているまたはカラメルソースを使用しない、また専門店や宅配で販売するプリンの中には、カラメルソースやブルーベリーソースを別添えして販売しているまた家で手作りするときには、容器の底にカラメルソースを充填、その後プリンプリン生地を充填し生地を冷蔵庫で冷やしてかため、食べるときに型抜きして皿に盛りつけ食べるまたは市販のカラメルソースをかけて食べる、またコンビニエンスストアーや量販店の店頭で販売するプリンやヨーグルトに、またデザートやアイスにトッピングするためのソースや各種シロップを使用する一回分毎に小分袋詰めして販売するシステムは無い。
【発明の概要】
【発明が解決しようとする課題】
【０００３】  店頭で販売する工業的に大量生産されるプリンやヨーグルト等は、最初の一個目が一番美味しく感じられ、次第に同じ味に飽きてくる、また店頭で販売する既存のプリンは、時間が経過すると底に充填したカラメルソースがプリン生地の水分で薄くなり本来の味が損なわれる、また一部のデザートには、プリン生地を充填した後カラメルソースを上掛けしさらにその上に生クリームを盛りつけたデザートもあるが製造してから時間が経過するとプリン生地と上掛けしたカラメルソースが混ざりまずくなるので別に上掛けのソースがあれば食べるときに生クリームの上からソースを掛けることで美味しさが増す、またお客様はプリンは、選べるが充填されたカラメルソースは選べない、ほろ苦いカラメルソースが苦手で、甘いカラメルソースが好きとするお客様がいる、また同じプリンを親と子供で、それぞれ好みのカラメルソースやブルーベリーソースやメープルシロップをかけて食べればさらに美味しくなる、また店頭で販売するプリンやヨーグルトまたデザートやアイスは、いつも同じ味なので、食べ続けると飽きが来るトッピングするカラメルソースやブルーベリーソースやシロップを変えれば、また違った味を楽しめる、また店頭にて１００円で販売するカラメルソース無しプリンを購入されたお客様に、お好みのカラメルソースやブルーベリーソースやメープルシロップを提供し簡単に美味しく食べる手段を提供する。また家庭でプリンを手作りするときには、食べる直前に型から抜き皿に盛りつけるのでキャラメルシロップが上掛けされているが、店頭で販売するプリンは、一部の商品を除きお客様は、容器のままに上から食べ始めるので最後にカラメルソースとプリン生地を味わうことになるが時間がたつとカラメルソースがプリン生地と混ざりカラメルソース本来の風味が損なわれる、またストロベリーヨーグルトやブルベリーヨーグルトの製品は、ストロベリーやブルベリーを、最初から混ぜて製造するので、本来の味が損なわれストロベリーやブルベリー風味の製品となっていてストロベリーやブルーベリー本来の味や風味が損なわれている、こうした課題を個々のメーカーが独自に解決するのは難しい長年既存の製品になれ親しみ現状の製品で良しとするお客様がいる、またインターネット上にはギフトや取り寄せのための一個２５０円から５００円する高級なプリンが売られていて余分に金を掛けても美味しいプリンを食べたいとするニーズがあるのでお客様が選ぶ機会を提供して他のコンビニエンスストアーや量販店と差別化された売り場を展開するまた家庭でプリンを手作りするときに、カラメルソースを作るのが面倒でありまたカラメルソースを作るのが苦手の人もいるまた大人用のビターなカラメルソースと子供用の甘いカラメルソースを別々に作るのはさらに面倒である、市販のカラメルソースは常温流通品なのでプリンにトッピングするときに湯煎しやわらかくするか、水を加え電子レンジで温めなければならず不便であり一つのプリンを美味し食べるためには使えない。
【課題を解決するための手段】
【０００４】  上記目的を達成するために、店頭に小分けしたカラメルソースやブルーベリーソースやメープルシロップ、ストローベリーシロップ、チョコレートシロップ、蜂蜜シロップ、黒蜜シロップ、レモンシロップ、、メロンシロップ等を小分けして専用の販売容器を用意し販売する。また小分けした袋にバーコードを印刷して販売情報を生産者と共有し鮮度管理や生産管理に生かすまたカラメルソースやブルーベリーソースや各種シロップを一企業がすべて生産するより各企業に得意のカラメルソースやブルーベリーソースやシロップを製造委託して販売する。
【発明の効果】
【０００５】  以上説明したように、プリンやヨーグルトをまたデザートやアイスを買い求めたお客様が、小分けしたカラメルソースやブルーベリーソースや各種シロップを好みで選び、プリンやヨーグルトにまたデザートやアイスにトッピングすることでいろいろな味が楽しめより美味しく食べらる、また家庭でプリンを作るお客様にとっても簡単に使えるカラメルソースやブルーベリーソースが必要なときに必要な量を買え使えるので便利になる。
【図面の簡単な説明】
【０００６】
【図１】  本発明のカラメルソースを小分け袋詰めした状態を示す斜視図であ。
【図２】  本発明の店頭での販売用ケースを示す斜視図である。
【発明を実施するための形態】
【０００７】  本発明の小分けしたカラメルソースについて図１に基づいて説明する。
【０００８】  図１には、小分けした袋詰めされたカラメルソースが斜視図にて示されている。この図に示される如く、カラメルソースは、一回分に必要な量をバーコードを印刷した袋に袋詰めして販売する他のソースやシロップも同様である。
【０００９】  図２に示される如く売り場に販売用ケースを用意しカラメルソースやブルーベリーソースや各種シロップを並べ販売する。
【産業場上の利用可能性】
【００１０】  お客様は、小分け袋詰めされたカラメルソースやブルーベリーソースや各種シロップを好みに応じて、プリンやヨーグルトまたデザートやアイスにトッピングすることで、既存の商品をいろいろな味で楽しめるのでより美味しく食べる機会が増えるまた店頭のデザート商品の拡販につながるまた家庭でプリンを手作りするお客様も小分けされたソースや各種シロップを必要なときに必要な量を買えて便利になる。
【符号の説明】
【００１１】１      小分けし袋詰めされたカラメルソース
２      小分する袋のバーコード
３      カラメルソースやブルーベリーソースや各種シロップ販売用容器
【図１】
2014091577.tif 000003
【図２】
2014091577.tif 000004